(57)【要約】【課題】ガスが発生して内圧が上昇した場合に、確実に電流を遮断する。【解決手段】内部端子３１０の第２端部３１２Ｂは、外部端子３２０の第１端部３２２Ａと重ね合わせられている。内部端子３１０の下面３１４Ｂと外装体２００の下側の内面２０２Ａとは、内部端子３１０と外部端子３２０とが重なり合う範囲の全てにおいて接合されている。外装体２００の内部の外部端子３２０の上面３２４Ｂの全てと外装体２００の上側の内面２０２Ｂとが接合されている。外部端子３２０の下面３２４Ａと外装体２００の下側の内面２０２Ａとが接合されている。外装体２００の下側の内面２０２Ａと上側の内面２０２Ｂとが、外装体２００の幅方向であって、内部端子３１０および外部端子３２０が存在しない部分で接合されている。【選択図】        図２
2005044523.tif 000002
【特許請求の範囲】
【請求項１】
可撓性の外装体の内部に密封された電極体と、前記外装体の内部に設けられた平板状の内部端子と、前記外装体の内部から突出するように設けられた平板状の外部端子とを有する二次電池の電流遮断構造であって、
前記内部端子の第１の端部が前記電極体に接続され、
前記外装体の内部において、前記外部端子の第１の端部における第１の面が、前記内部端子の前記第１の端部とは異なる第２の端部における第１の面に重ね合わせられ、
前記外部端子の前記第１の端部とは異なる第２の端部が前記外装体の外部に突出し、
前記外部端子の幅は前記外装体の幅よりも小さく、前記電流遮断構造は、
前記内部端子の前記第１の面とは異なる第２の面と、前記外装体の第１の内面とを接合する第１接合部と、
前記外部端子の前記第１の面とは異なる第２の面と、前記外装体の前記第１の内面とは異なる第２の内面とを接合する第２接合部と、
前記外部端子の前記第１の面と、前記外装体の前記第１の内面とを接合する第３接合部と、
前記外装体の幅方向において、前記外部端子が存在しない部分において、前記外装体の前記第１の内面と前記第２の内面とを接合する第４接合部とを含み、
前記第１接合部は、前記内部端子と前記外部端子とが重ね合わせられた範囲の全てにおいて、前記内部端子の前記第２の面と前記外装体の前記第１の内面とを接合し、
前記第２接合部は、前記外装体の内部の前記外部端子の前記第２面の全てと前記外装体の前記第２の内面とを接合する、二次電池の電流遮断構造。
【請求項２】
前記外部端子の前記第１の端部における前記第１の面と、前記内部端子の前記第２の端部における前記第１の面とが重ね合わせられる長さは、前記外装体の内圧が予め定められた圧力となった場合に、前記内部端子と前記外部端子とが剥離するように設定される長さである、請求項１に記載の二次電池の電流遮断構造。
【請求項３】
前記第３接合部は、
前記内部端子の前記第２の端部の近傍で、前記外部端子の前記第１の面と、前記外装体の前記第１の内面とを接合するとともに、前記外装体の内圧が予め定められた圧力となった場合に剥離する剥離部と、
前記剥離部よりも前記外部端子の前記第２の端部側で、前記外部端子の前記第１の面と、前記外装体の前記第１の内面とを接合するとともに、前記剥離部が剥離した場合に接合を維持する接合維持部とを含み、
前記電流遮断構造は、前記剥離部と前記接合維持部との間で、前記外部端子の前記第１の面と、前記外装体の前記第１の内面とが乖離している乖離部をさらに含む、請求項１または２に記載の二次電池の電流遮断構造。
【請求項４】
前記二次電池は、リチウムイオン二次電池である、請求項１ないし３のいずれかに記載の二次電池の電流遮断構造。
【請求項５】
請求項１ないし４のいずれかに記載の電流遮断構造を備えた二次電池。
【発明の詳細な説明】
【０００１】
【発明の属する技術分野】
本発明は二次電池の電流遮断構造およびその構造を備えた二次電池に関し、特に、ラミネートフィルム等の可撓性の外装体により密封された電極体を有する二次電池の電流遮断構造およびその構造を備えた二次電池に関する。
【０００２】
【従来の技術】
従来より、ラミネートフィルム等の可撓性の外装体により密封された電極体を有するリチウムイオン二次電池が知られている。このようなリチウムイオン二次電池においては、過充電および過放電等により電解液が不可逆的に分解してガスが発生し、内圧が上昇するおそれがある。そのため、ガスが発生して内圧が上昇した場合に、内圧を緩和するとともに、電流を遮断する安全機構を採用したリチウムイオン二次電池が知られている。
【０００３】
特開平１０−２９４０９７号公報（特許文献１）は、熱融着ラミネートフィルム等の柔軟な絶縁性の被覆材料を用いて袋状に密封した二次電池において、過充電時や短絡時の電流遮断や、電池内圧上昇時の内圧緩和と液漏れ防止などの安全機構を備えた二次電池を開示する。この特許文献１に記載の二次電池（特に、特許文献１における図６に図示された二次電池）は、電極体を密封する外装体と、電極体の負極に接続される内部端子と、内部端子と重ね合わせられるとともに、外部回路に接続される外部端子と、内部端子と外部端子との電気的接続を保持するとともに、外装体の膨張により内部端子と外部端子との電気的接続を解除する継ぎ手とを含む。外部端子は、外装体内表面の上面と下面から接着されているが、電極体に近い部分では外装体内表面の上面側のみに接着されており、下面側にはピン球が接着されている。内部端子は、外装体内表面の下面から接着されているとともに、ピン球と対応した位置に、ピン球の外形より大きい丸穴が設けられている。丸穴の内側にはゴムからなる柔軟な絶縁性の突起物が取りつけてあり、ピン球の外径より狭くして、はずれ防止弁の働きをする。このピン球と丸穴とで継ぎ手が構成される。封入袋の内圧が上昇すると、封入袋が膨張し、外部端子は上方に押し上げられ、内部端子と引き離す方向に力が働く。外装体の内部と外部との圧力差が規定値を越えるとき、ピン球と丸穴の係合がはずれ、内部端子と外部端子の電気的接触面が分離される。一旦ピン球が丸穴を通り抜けたならば、故意に再接続しない限り非通電状態を保つ。
【０００４】
この公報に開示された発明によると、外装体の内圧上昇による膨張変形による力を受けて、外部端子が上方に引上げられる。外部端子が引上げられると、ピン球と丸穴のの係合が解除され、内部端子と外部端子とが絶縁される。これにより、過充電や短絡等による電池の内圧上昇時に電池から外部回路に流れる電流を遮断できる。
【０００５】
【特許文献１】
特開平１０−２９４０９７号公報
【０００６】
【発明が解決しようとする課題】
しかしながら、上記の公報に記載の二次電池においては、内部端子は、外装体内表面の下面から接着されているが、ピン球が丸穴から抜けるように構成する必要があるため、ピン球は封入袋内表面に接着されてはならない。そのため、内部端子と外装体内表面とを丸穴の近傍で接着することができない。丸穴の近傍が接着されていなければ、丸穴を通じて、内部端子と外装体の間にガスが侵入する。内部端子と外装体の間にガスが侵入すると、内部端子と外装体との間が膨張し、内部端子が上方に押上げられることとなる。ここで、外部端子は、内部端子の上方に位置しているため、内部端子は外部端子に押付けられることとなる。その結果、ピン球を丸穴から抜こうとする力が損なわれ、電流の遮断が阻害されるおそれがある。
【０００７】
本発明は、上述の問題を解決するためになされたものであって、簡易な構造で、確実に電流を遮断することができる二次電池の電流遮断構造およびその構造を備えた二次電池を提供するものである。
【０００８】
【課題を解決するための手段】
第１の発明に係る二次電池の電流遮断構造は、可撓性の外装体の内部に密封された電極体と、外装体の内部に設けられた平板状の内部端子と、外装体の内部から突出するように設けられた平板状の外部端子とを有する二次電池の電流遮断構造である。内部端子の第１の端部が電極体に接続されている。外装体の内部において、外部端子の第１の端部における第１の面が、内部端子の第１の端部とは異なる第２の端部における第１の面に重ね合わせられている。外部端子の第１の端部とは異なる第２の端部が外装体の外部に突出している。外部端子の幅は外装体の幅よりも小さい。内部端子の第１の面とは異なる第２の面と、外装体の第１の内面とは、第１接合部により接合されている。外部端子の第１の面とは異なる第２の面と、外装体の第１の内面とは異なる第２の内面とは、第２接合部により接合されている。外部端子の第１の面と、外装体の第１の内面とは、第３接合部により接合されている。外装体の幅方向において、外部端子が存在しない部分において、外装体の第１の内面と第２の内面とは、第４接合部により接合されている。第１接合部は、内部端子と前記外部端子とが重ね合わせられた範囲の全てにおいて、内部端子と外装体とを接合する。第２接合部は、外装体の内部の外部端子の第２面の全てを接合する。
【０００９】
第１の発明によると、第１接合部、第２接合部、第３接合部および第４接合部により内部端子と外装体との間および外部端子と外装体との間が接合され、内部端子の第１の面と、外部端子の第１の面のみが接合されていないこととなる。ここで、内部端子と外装体とは、内部端子と外部端子とが重ね合わせられた範囲の全てにおいて接合されているため、この範囲で内部端子と外装体との間にガスが侵入することがない。これにより、内部端子と外装体との間が膨張せず、内部端子を外部端子に押付ける力が発生しない。そのため、たとえば、過充電によりガスが発生した場合は、内部端子と外部端子との隙間のみにガスが侵入し、内部端子と外部端子とが剥離する方向にのみ力が発生して、電流が遮断される。その結果、簡易な構造で、確実に電流を遮断することができる二次電池の電流遮断構造を提供することができる。
【００１０】
第２の発明に係る二次電池の電流遮断構造は、第１の発明の構成に加え、外部端子の第１の端部における第１の面と、内部端子の第２の端部における第１の面とが重ね合わせられる長さは、外装体の内圧が予め定められた圧力となった場合に、内部端子と外部端子とが剥離するように設定される長さである。
【００１１】
第２の発明によると、外装体の内圧が予め定められた圧力となった場合に、内部端子と外部端子とが剥離するように、外部端子の第１の端部における第１の面と、内部端子の第２の端部の第１の面とが重ね合わせられる長さが設定される。これにより、外装体の内圧が予め定められた圧力となった場合に電流を遮断することができる。このとき、たとえば、予め定められた圧力が、外装体が破裂してしまう圧力よりも小さい圧力となるようにすれば、外装体の内圧が小さくならないので、内部端子と外部端子とが剥離した状態を維持し、内部端子と外部端子とが再び重なり合うことを防止することができる。その結果、内部端子と外部端子とが再び接触し、電流が流れてガスが再発生することを防止することができる。
【００１２】
第３の発明に係る二次電池の電流遮断構造においては、第１または第２の発明の構成に加え、第３接合部は、内部端子の第２の端部の近傍で、外部端子の第１の面と、外装体の第１の内面とを接合するとともに、外装体の内圧が予め定められた圧力となった場合に剥離する剥離部と、剥離部より外部端子の第２の端部側で、外部端子の第１の面と、外装体の第１の内面とを接合するとともに、前記剥離部が剥離した場合に接合を維持する接合維持部とを含む。電流遮断構造は、剥離部と離隔接合部との間で、外部端子の前記第１の面と、外装体の第１の内面とが乖離している乖離部をさらに含む。
【００１３】
第３の発明によると、内部端子の第２の端部の近傍で、外部端子の第１の面と、外装体の第１の内面とを接合する剥離部は、外装体の内圧が予め定められた圧力になると剥離する。接合維持部は、剥離部が剥離しても接合を維持する。剥離部と離隔接合部との間の乖離部において、外部端子の前記第１の面と、外装体の第１の内面とは乖離している。これにより、外装体の内圧が予め定められた圧力となった場合は、剥離部が剥離するとともに、乖離部において、外部端子の前記第１の面と、外装体の第１の内面と間にガスが溜まる。そのため、内部端子の第２の端部の近傍で、剥離部よりも大きい範囲で外装体が膨張し、内部端子と外部端子とが一層剥離しやすくなり、電流が確実に遮断される。このとき、接合維持部では接合が維持されているため、ガスが外部に流出せず、外装体の内圧が維持され、内部端子と外部端子とが剥離した状態が維持される。
【００１４】
第４の発明に係る二次電池の電流遮断構造においては、第１ないし第３のいずれかの発明の構成に加え、二次電池を、リチウムイオン二次電池としている。
【００１５】
第４の発明によると、二次電池としてリチウムイオン二次電池を用いている。このため、ニッケル水素電池やニッカド電池に比べて高電圧を得ることができる。
【００１６】
第５の発明に係る二次電池は、第１ないし第４の発明のいずれかに係る電流遮断構造を備えた二次電池である。
【００１７】
第５の発明によると、二次電池は、第１ないし第４の発明のいずれかに係る電流遮断構造を備えている。その結果、簡易な構造で、確実に電流を遮断することができる二次電池を提供することができる。
【００１８】
【発明の実施の形態】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１９】
＜第１の実施の形態＞
図１を参照して、本実施の形態に係るリチウムイオン二次電池は、電極体１００と、電極体１００および電解液を密封する外装体２００と、一端が電極体に接続され、他端が外装体の外部に突出した平板状の負極端子３００および正極端子４００を含む。リチウムイオン二次電池は、ニッケル水素電池やニッカド電池に比べて、エネルギー密度および放電電圧が高く、軽量化しやすいことが知られており、特に、小型の二次電池に広く採用されている。なお、本実施の形態においては、リチウムイオン二次電池を用いているが、リチウムイオン二次電池に限らず、他の二次電池、例えばニッケル水素電池やニッカド電池等を使用してもかまわない。
【００２０】
電極体１００は、シート状の負極体（図示せず）と、シート状の正極体（図示せず）と、セパレータ（図示せず）を積層して形成される。この電極体１００の正極活物質には、コバルト酸リチウムやマンガン酸リチウムやニッケル酸リチウムが用いられている。また、負極活物質には炭素材料が用いられている。電解液には、エチレンカーボネートとジエチルカーボネートやエチルメチルカーボネートのような直鎖カーボネートの混合溶媒に、リチウム塩を支持電解質として溶解したものを使用している。
【００２１】
外装体２００には、可撓性のラミネートフィルムが用いられている。２枚のラミネートフィルムで電極体１００を挟み、外周縁を熱溶着により接合して密封する。このとき、負極端子３００および正極端子４００も、外装体２００に接合される。なお、接合には接着剤を用いてもかまわない。
【００２２】
負極端子３００および正極端子４００の幅は、ともに外装体２００の幅よりも小さい。また、負極端子３００は、外装体２００の内部に位置する平板状の内部端子３１０と、一端は外装体２００の内部に位置し、他端は外装体２００の外部に突出する平板状の外部端子３２０とから構成される。通常時は、内部端子３１０と外部端子３２０とは接触し、内部端子３１０と外部端子３２０との間を電流が流れるが、外装体２００の内圧が予め定められた圧力となった場合には剥離し、電流が遮断される。なお、本実施の形態においては、負極端子３００のみが内部端子３１０および外部端子３２０を有するが、正極端子４００、または負極端子３００と正極端子４００の両方が内部端子３１０および外部端子３２０を有するように構成してもよい。また、予め定められた圧力は、外装体２００が破裂する圧力より小さいものであることが望ましい。
【００２３】
図２および図３を参照して、外装体２００および負極端子３００について詳細に説明する。図２は、図１におけるＡ−Ａ断面を示している。図３は、図１におけるＢ−Ｂ断面を示している。
【００２４】
図２に示すように、内部端子３１０の電極体１００側の第１端部３１２Ａは、電極体１００の負極体（図示せず）に接続されている。第１端部３１２Ａの反対側の第２端部３１２Ｂは、外部端子３２０の電極体１００側の第１端部３２２Ａと重ね合わせられている。このとき、内部端子３１０の上面３１４Ａと、外部端子３２０の下面３２４Ａとが接触し、内部端子３１０と外部端子３２０とが接続されることとなる。また、内部端子３１０の第２端部３１２Ｂにおける上面３１４Ａと、外部端子３２０の第１端部３２２Ａにおける下面３２４Ａとが重ね合わせられる長さは、外装体の内圧が予め定められた圧力となった場合に、内部端子３１０と外部端子３２０とが剥離するように設定される長さである。外部端子３２０の第１端部３２２Ａの反対側の第２端部３２２Ｂは、外装体２００の外部に突出している。機器類（図示せず）は、この外部端子３２０の第２端部３２２Ｂに接続される。
【００２５】
内部端子３１０の下面３１４Ｂと、外装体２００の下側の内面２０２Ａとは、第１接合部５００において接合されている。この第１接合部においては、内部端子３１０の第２端部３１２Ｂと外部端子３２０の第１端部３２２Ａとが重なり合う範囲の全てにおいて、内部端子３１０と外装体２００とが接合されている。なお、内部端子３１０の下面３１４Ｂの全面と、外装体２００の下側の内面２０２Ａとを接合するようにしてもよい。
【００２６】
外部端子３２０の上面３２４Ｂと、外装体２００の上側の内面２０２Ｂとは、第２接合部５０２において接合されている。この第２接合部５０２においては、外装体２００の内部の外部端子３２０の上面３２４Ｂの全てが接合されている。
【００２７】
外部端子３２０の下面３２４Ａと、外装体２００の下側の内面２０２Ａとは、第３接合部５０４において接合されている。この第３接合部５０４においては、外装体２００の内部の外部端子３２０の下面３２４Ａのうち、内部端子３１０と重なり合っている部分以外の全ての部分が接合されている。また、第３接合部５０４は、外装体２００の内圧が予め定められた圧力になった場合に剥離する剥離部５０４Ａと、接合を維持する接合維持部５０４Ｂを含む。
【００２８】
図３に示すように、外装体２００の下側の内面２０２Ａと上側の内面２０２Ｂとは、外装体２００の幅方向であって、内部端子３１０および外部端子３２０が存在しない第４接合部５０６において、互いに接合されている。
【００２９】
以上のような構造に基づく本実施の形態に係るリチウムイオン二次電池の作用について、図４を参照して説明する。
【００３０】
リチウムイオン二次電池が、その充電許容値を超えて充電され、過充電の状態となった場合を想定する。リチウムイオン二次電池においては、過充電の状態になると、電解液が不可逆的に分解し、ガスが発生する。ここで、第１接合部５００により、内部端子３１０の下面３１４Ｂと、外装体２００の下側の内面２０２Ａが接合されている。そのため、第１接合部５００において、内部端子３１０の下面３１４Ｂと、外装体２００の下側の内面２０２Ａとの間にはガスが侵入しない。第２接合部５０２により、外部端子３２０の上面３２４Ｂと、外装体２００の上側の内面２０２Ｂとが接合されている。そのため、第２接合部５０２において、外部端子３２０の上面３２４Ｂと、外装体２００の上側の内面２０２Ｂとの間にはガスが侵入しない。第３接合部５０４により、外部端子３２０の下面３２４Ａと、外装体２００の下側の内面２０２Ａとが接合されている。そのため、第３接合部において、外部端子３２０の下面３２４Ａと、外装体２００の下側の内面２０２Ａとの間にはガスが侵入しない。第４接合部５０６により、外装体２００の下側の内面２０２Ａと上側の内面２０２Ｂとが接合されている。そのため、第４接合部において、外装体２００の下側の内面２０２Ａと上側の内面２０２Ｂとの間にはガスが侵入しない。一方、内部端子３１０と外部端子３２０とは、単に接触しているのみである。したがって、発生したガスは、内部端子３１０と外部端子３２０との隙間に侵入することとなる。
【００３１】
内部端子３１０と外部端子３２０との隙間にガスが侵入すると、ガスの圧力により、内部端子３１０と外部端子３２０とが剥離する方向に力が働く。ガスが発生し続け、内圧が上昇して予め定められた圧力となると、内部端子３１０と外部端子３２０とが剥離する。このとき、第３接合部５０４のうち、剥離部５０４Ａにおいて、外部端子３２０の下面３２４Ａと外装体２００の下側の内面２０２Ａとが剥離する。これにより、外装体２００が、内部端子３１０と外部端子３２０とが重なり合った部分の近傍で膨張可能となり、内部端子３１０と外部端子３２０との剥離が許容されることとなる。
【００３２】
内部端子３１０と外部端子３２０とが剥離すると、内部端子３１０と外部端子３２０との接続が断たれるため、電流が遮断される。このため、過充電による電解液の分解も停止し、ガスの発生も止まる。さらにこのとき、接合維持部５０４Ｂにおいて、外部端子３２０の下面３２４Ａと外装体２００の下側の内面２０２Ａとの接合が維持されている。これにより、内部端子３１０と外部端子３２０とが剥離した場合でも、外装体２００の密封状態が保たれる。したがって、発生したガスを外装体２００の外部に噴出させず、外装体２００の内圧を、予め定められた圧力以上で維持することができ、内部端子３１０と外部端子３２０との剥離状態を保つことが出来る。その結果、内部端子３１０と外部端子３２０とが再び接触し、電流が流れてガスが再発生することを防止することができる。なお、予め定められた圧力は、外装体２００が破裂する圧力よりも小さいことが望ましい。
【００３３】
ここで、第１接合部５００により、内部端子３１０の第２端部３１２Ｂと外部端子３２０の第１端部３２２Ａとが重なり合う範囲の全てにおいて、内部端子３１０の下面３１４Ｂと、外装体２００の下側の内面２０２Ａとが接合されている。第２接合部により、外装体２００の内部の外部端子３２０の上面３２４Ｂの全てと、外装体２００の上側の内面２０２Ｂとが接合されている。したがって、内部端子３１０の第２端部３１２Ｂと外部端子３２０の第１端部３２２Ａとが重なり合う範囲において、内部端子３１０および外部端子３２０と、外装体２００との間にはガスが進入しない。その結果、内部端子３１０と外装体２００との間、および外部端子３２０と外装体２００との間がガスにより膨張し、内部端子３１０と外部端子３２０とを押付け合う方向に力が発生することがない。
【００３４】
以上のように、本実施の形態に係るリチウムイオン二次電池は、過充電によりガスが発生した場合に、内部端子３１０と外部端子３２０とを剥離させて電流を遮断し、ガスの発生を停止することができる。また、内部端子３１０と外部端子３２０とを剥離した場合には内圧を維持し、内部端子３１０と外部端子３２０とが剥離した状態を保つことができる。さらに、内部端子３１０と外部端子３２０との剥離を阻害する力が発生することがない。
【００３５】
＜第２の実施の形態＞
図５を参照して、本実施の形態に係るリチウムイオン二次電池は、外部端子３００を幅方向に横断するように伸びた乖離部６００を含む。この乖離部６００においては、外装体２００の下側の内面２０２Ａと上側の内面２０２Ｂとは接合されておらず、乖離している。また、図６に示すように、外部端子３２０の下面３２４Ａと、外装体２００の下側の内面２０２Ａとは接合されておらず乖離している。また、乖離部６００は、剥離部５０４Ａと接合維持部５０４Ｂとの間に位置する。なお、その他の構成については、前述の第１の実施の形態と同じである。それらについての機能も同じである。したがって、それらについての詳細な説明はここでは繰返さない。
【００３６】
以上のような構造に基づく本実施の形態に係るリチウムイオン二次電池の作用について、図７を参照して説明する。
【００３７】
外装体２００の内圧が予め定められた圧力よりも大きくなり、剥離部５０４Ａが剥離した場合を想定する。この場合、乖離部６００では外部端子３２０の下面３２４Ａと、外装体２００の下側の内面２０２Ａとは接合されていないため、乖離部６００において、外部端子３２０の下面３２４Ａと、外装体２００の下側の内面２０２Ａと間にガスが溜まる。これにより、内部端子３１０の第２端部３１２Ｂの近傍で、剥離部５０４Ａよりも大きい範囲で外装体２００が膨張し、内部端子３１０と外部端子３２０とが一層剥離しやすくなり、確実に電流を遮断することができる。このとき、接合維持部５０４Ｂでは接合が維持されているため、ガスが外部に流出せず、外装体２００の内圧が維持され、内部端子３１０と外部端子３２０とが剥離した状態が維持される。
【００３８】
＜第３の実施の形態＞
図８を参照して、本実施の形態に係るリチウムイオン二次電池における乖離部６０２は、外部端子３００を幅方向に横断するとともに、両端部が負極端子３００の長手方向と平行に伸びたコの字型である。このように乖離部６０２を形成してもよい。なお、その他の構成については、前述の第１の実施の形態と同じである。それらについての機能も同じである。したがって、それらについての詳細な説明はここでは繰返さない。
【００３９】
＜第４の実施の形態＞
図９を参照して、本実施の形態に係るリチウムイオン二次電池における乖離部６０４は、外部端子３００を幅方向に横断するとともに、両端部が負極端子３００の長手方向と平行に伸びたコの字型である。また、両端部の先端は、外装体の下側の内面２０２Ａと、上側の内面２０２Ｂとが接合されていない部分と連通している。このように乖離部６０２を形成してもよい。なお、その他の構成については、前述の第１の実施の形態と同じである。それらについての機能も同じである。したがって、それらについての詳細な説明はここでは繰返さない。
【００４０】
＜第５の実施の形態＞
図１０を参照して、本実施の形態に係るリチウムイオン二次電池における乖離部６０６は、外部端子３００を幅方向に横断しておらず、外装体２００の幅方向であって、内部端子３１０および外部端子３２０が存在しない部分において、負極端子３００の長手方向と平行に伸びるように設けられている。このように乖離部６０２を形成してもよい。なお、その他の構成については、前述の第１の実施の形態と同じである。それらについての機能も同じである。したがって、それらについての詳細な説明はここでは繰返さない。
【００４１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本発明の第１の実施の形態に係るリチウムイオン二次電池を示す平面図である。
【図２】図１のＡ−Ａ断面を示す図である。
【図３】図１のＢ−Ｂ断面を示す図である。
【図４】本発明の第１の実施の形態に係るリチウムイオン二次電池の内部端子と外部端子とが剥離した状態を示す図である。
【図５】本発明の第２の実施の形態に係るリチウムイオン二次電池を示す平面図である。
【図６】図５のＡ−Ａ断面を示す図である。
【図７】本発明の第２の実施の形態に係るリチウムイオン二次電池の内部端子と外部端子とが剥離した状態を示す図である。
【図８】本発明の第３の実施の形態に係るリチウムイオン二次電池を示す平面図である。
【図９】本発明の第４の実施の形態に係るリチウムイオン二次電池を示す平面図である。
【図１０】本発明の第５の実施の形態に係るリチウムイオン二次電池を示す平面図である。
【符号の説明】
１００  電極体、２００  外装体、２０２Ａ  下側の内面、２０２Ｂ  上側の内面、３１０  内部端子、３１２Ａ  第１端部、３１２Ｂ  第２端部、３１４Ａ上面、３１４Ｂ  下面、３２０  外部端子、３２２Ａ  第１端部、３２２Ｂ  第２端部、３２４Ａ  下面、３２４Ｂ  上面、５００  第１接合部、５０２  第２接合部、５０４  第３接合部、５０６  第４接合部、６００，６０２，６０４，６０６  乖離部。
【図１】
2005044523.tif 000003
【図２】
2005044523.tif 000004
【図３】
2005044523.tif 000005
【図４】
2005044523.tif 000006
【図５】
2005044523.tif 000007
【図６】
2005044523.tif 000008
【図７】
2005044523.tif 000009
【図８】
2005044523.tif 000010
【図９】
2005044523.tif 000011
【図１０】
2005044523.tif 000012